(57)【要約】      （修正有）【課題】運搬中に容器が包装材から飛び出すことを防止し、容器の取り出しが容易になしうるマルチパック用包装材を提供する。【解決手段】筒状に折り曲げた１枚のブランクからなるマルチパック用包装材において、底板５の開口側の両端に、折曲線により区画形成された端片８，９を設け、該端片の端縁の中央部にその端片上に折返して貼合する１枚の飛び出し防止片であって、その両側縁に円弧状の切欠部を有し、包装する容器の底部を保持固定する飛び出し防止片１０，１１を延設する。収納された容器の底部が、底板の端片上に折返して貼合する飛び出し防止片１０，１１によって両側から押さえられるため、容器の底部がスリーブ内で確実に保持、固定される。したがって、運搬中、容器がスリーブから抜け落ちる恐れがない。また、左右どちらか一方の飛び出し防止片を下方に折り曲げることにより、容器の取り出しが容易に行える。【選択図】図１
0003156177.tif 000002
【実用新案登録請求の範囲】
【請求項１】
１枚のブランクを筒状に折り曲げ、その両端部同士を貼り合わせ又は係合して、缶、カップなど各種容器入り商品を複数個まとめて包装するマルチパック用包装材において、
底板の開口側の両端に、折曲線により区画形成された端片を設け、該端片の端縁の中央部にその端片上に折返して貼合する１枚の飛び出し防止片であって、その両側縁に円弧状の切欠部を有し、包装する容器の底部を保持固定する飛び出し防止片を延設したことを特徴とするマルチパック用包装材。
【請求項２】
前記ブランクが、紙厚のある板紙または段ボールからなることを特徴とする請求項１に記載したマルチパック用包装材。
【考案の詳細な説明】
【技術分野】
【０００１】
本考案は缶ビール、缶ジュース、デザートカップなど各種容器入り商品を、１枚のブランクよりなるシートで複数個まとめて簡便に収納、包装するマルチパック包装材に関する。
【背景技術】
【０００２】
マルチパックと呼ばれる集積包装体は、１枚の板紙を筒状（スリーブ状）に折り曲げて、その両端のフラップ部分同士を互いに係合又は貼り合わせて組み立てる簡易包装であり、通常、同一形状の複数の商品をまとめて収納包装することができる。
【０００３】
このような従来の集積包装では筒状に折り曲げられた側板上部に切り込みを設け、収納された容器の頂部のフランジ部の固定をはかったものもあるが、容器の底部は全く固定されておらず不安定であり、しかも包装の側面の一対は開放されているため運搬中に容器が包装材から飛び出す危険性がある。
また、包装材の底板に断面が略逆三角形又は台形状の起立部材を設けて容器の底部を保持、固定したものが考案されているが、ブランクからの紙取り効率があまり良くなく、組み立て作業の能率も充分でない。
さらに包装材の底板に１枚の傾斜板を設け、その上縁及び下縁の各々に円弧状の切り欠き部を有し、収納された容器の底部が包装材の側板及び傾斜板によって両側から押さえられるようにしたものも提案されている。しかし、容器の底部を傾斜板により保持固定する作業は能率的ではなく、また包装された容器の取り出しも容易ではなかった。
【先行技術文献】
【特許文献】
【０００４】
【特許文献１】特開２００４−３５９２５６号公報
【特許文献２】実開平５−８４６６０号公報
【特許文献３】特許第３５３８９４２号公報
【考案の概要】
【考案が解決しようとする課題】
【０００５】
そこで、この考案は缶ジュース、デザートカップなど各種容器入り商品を、１枚のブランクで複数個まとめて包装することができ、またブランクの紙厚を利用したストッパーによって、運搬中に容器が包装材から飛び出すことを防止し、また左右どちらかのストッパーを下方に折り曲げることにより、容器の取り出しが容易になしうるマルチパック用包装材を提供することを課題とする。
【課題を解決するための手段】
【０００６】
本考案は、１枚のブランクを筒状に折り曲げ、その両端部同士を貼り合わせ又は係合して、缶、カップなど各種容器入り商品を複数個まとめて包装するマルチパック用包装材において、
底板の開口側の両端に、折曲線により区画形成された端片を設け、該端片の端縁の中央部にその端片上に折返して貼合する１枚の飛び出し防止片であって、その両側縁に円弧状の切欠部を有し、包装する容器の底部を保持固定する飛び出し防止片を延設したことを特徴とするマルチパック用包装材を提供するものである。
【考案の効果】
【０００７】
本考案のマルチパック用包装材は、一枚のブランクから容易に組み立てることができるだけでなく、本考案のマルチパック用包装材では、収納された容器の底部が、底板の端片上に折返して貼合するブランクの紙厚を利用したストッパー（飛び出し防止片）によって両側から押さえられるため、容器の底部がスリーブ内で確実に保持、固定される。したがって、運搬中、容器がスリーブから抜け落ちる恐れがない。
また、左右どちらか一方のストッパーを下方に折り曲げることにより、容器の取り出しが容易に行える利点がある。
【図面の簡単な説明】
【０００８】
【図１】マルチパック用包装材のブランクを示す図である。
【図２】同上ブランクの組立て過程の一部拡大図である。
【図３】組立て完成状態を示す斜視図である。
【図４】開封過程を示す斜視図である。
【図５】同上の一部拡大図である。
【考案を実施するための形態】
【０００９】
つぎに実施例により、本考案をさらに具体的に説明する。このマルチパック用包装材２０は、商品を一例として５個ずつ２列にまとめて、全体として１０個を収納、包装することができる。
本考案で使用する一枚のブランク１は、天板２の両側に折り曲げ線３ａ、３ｂを介してそれぞれ側板４ａ、４ｂを有する。そして、一方の側板４ｂの延長上には前記天板２に対応した底板５と、側板４ａと重なり合う貼合板６とが設けられている。
ブランク１は、筒状に折り曲げた後にその両端部同士４ａと６とを貼りあわせ又は係合して、例えば缶ジュースやヨーグルト等のデザートカップなどの容器入り商品を複数個まとめて包装し、容器の固定をはかる。図２にも示すように底板５にはその両端に、折曲線７ａ、７ｂにより区画した端片８、９が区画されている。この端片の端縁中央部には、それぞれの端片上に折返して貼合する飛び出し防止片１０、１１を設ける。飛び出し防止片１０、１１は、図２の拡大図のように底板の端片上に折返して貼合して使用する。
なお、飛び出し防止片１０、１１は、その両側縁に円弧状切欠部１２ａ，１２ｂと１３ａ、１３ｂを有し、包装する容器の底部を保持固定することができるように構成されている。
因みに、図中符号１５で示すものは、天板２、底板５に設けた空気流通穴である。符号１６は天板２と側板４ａ、４ｂとの境の折り曲げ線３ａ、３ｂより突き出すように形成した爪であり、符号１７は底板５と側板４ｂおよび貼合板６との境の折り曲げ線１４ａ，１４ｂ上に形成する前記爪が入りこむ穴である。
【００１０】
図１に示す展開図のブランク１から図３に示すマルチパック用包装材２０を組み立てる方法について説明する。
図１において、天板２に対して、両側の側板４ａ、４ｂを折り曲げ線３ａ、３ｂに沿って山折りする。また、底板５の両端に形成した端片８、９に対しては、その端片上に飛び出し防止片１０、１１を折返して貼合する（図２）。
なお、飛び出し防止片１０、１１はその両側縁に円弧状切欠部１２ａ，１２ｂと１３ａ、１３ｂを有しているので、包装する容器（カップ）の底部を板紙または段ボールの紙厚を利用したストッパー（飛び出し防止片）の円弧状切欠部で保持固定することができる。ここでいう紙厚のある板紙とは紙厚０．２ｍｍ以上の板紙を指す。
つぎに底板５に対し折り曲げ線１４ｂに沿って、貼合板６を山折りし、最後にブランク１の先端部同士を接合すると図３に示すようにマルチパック用包装材２０が組み上がる。このように組み立てられたスリーブ内の商品２１の底部は、底板５の端片８上に折返して貼合する飛び出し防止片１０、１１によって両側から押さえられるため、容器の底部が内で確実に保持、固定される。したがって、運搬中には容器がスリーブから抜け落ちる恐れがない
【００１１】
図４は、このようにして組み立てられた本考案のマルチパック用包装材を開封したところを示す斜視図である。図示のように、底板５の何れか一端に形成した端片８、９を折曲線７ａ、７ｂより下方に折り曲げると、スリーブ内の商品２１を全て取り出すことができる。
【００１２】
以上のように本考案によれば、収納された商品の底部が、紙厚を利用したストッパーによって両側からおさえられるため、容器の底部が包装材内で確実に保持固定され、運搬中における包装材からの商品の抜け落ちが防止される。また、本考案のマルチパック包装材は一枚のブランク板から簡単に組み立てられ、しかも包装原紙からの紙取りの効率がよい。
【符号の説明】
【００１３】
１  ブランク
２  天板
３ａ、3ｂ  折曲線
４ａ，４ｂ  側板
５  底板
６  貼合板
７ａ、7ｂ  折曲線
８、９  端片
１０、１１  飛び出し防止片
１２ａ，１２ｂ、１３ａ，１３ｂ  円弧状切欠部
１４ａ、１４ｂ  折曲線
１５  空気流通穴
１６  爪
１７  穴
【図１】
0003156177.tif 000003
【図２】
0003156177.tif 000004
【図３】
0003156177.tif 000005
【図４】
0003156177.tif 000006
【図５】
0003156177.tif 000007